(57)【特許請求の範囲】
【請求項１】
浴室の天井面等に設置される箱体状で、側面に屋外に連通する排気口および他室換気用吸込口を有し、下面には浴室換気用吸込口と循環用吸込口および吹出口を設けた本体内に、浴室内の空気を屋外に排気する換気用ファンと、浴室内の空気を循環させる循環用ファンと、前記循環用ファンの吐き出し側流路にヒ−タを備え、前記換気用ファンはシロッコファンでファン吸込口が浴室側を向いており、かつ循環用ファンと間隔をあけて上方に配置され、前記循環用ファンにクロスフローファンを用い、前記クロスフローファンが金属製で、かつケーシングの舌部が複数の断面形状をランダムに配置した構成となっている浴室乾燥機。
【請求項２】
前記浴室換気用吸込口に、段階的に開度を変更できる電動ダンパを備えた請求項１記載の浴室乾燥機。
【請求項３】
前記ヒータにハロゲンヒ−タを使用して、浴室内に向かい熱放射する輻射熱により暖房をする構成とした請求項１または２記載の浴室乾燥機。
【発明の詳細な説明】
【０００１】
【発明の属する技術分野】
本発明は、衣類また浴室内を乾燥または換気・暖房するために使用される浴室乾燥機に関する。
【０００２】
【従来の技術】
従来の浴室乾燥機について図６を参照しながら説明する。
【０００３】
本体下面に吸込口１０１と温風吹出口１０２を設け、循環用ファン１０３とヒータ１０４を備えた温風ユニット１０５と、本体下面に給気口１０６を有し、側面に排気口１０７を設け、換気用ファン１０８を備えた箱状の換気ユニット１０９とを備え、温風ユニットと換気ユニットを横並びに一体的に配置する構成とした浴室乾燥機であった。
【０００４】
【発明が解決しようとする課題】
このような従来の浴室乾燥機では、循環ユニット１０５と換気ユニット１０９を横並びに配置しているため本体の面積が広くなり、浴室への開口を小さくするためには、循環ユニット１０５と換気ユニット１０９を分離して施工する構成にしなければならないという課題があり、また他室からの吸込口の方向が限定されるという課題があった。
【０００５】
また、他室からの換気風量と浴室からの換気風量のバランスを変更できないという課題があった。
【０００６】
また、温風方式の暖房では、入浴中に気流により冷風感を感じるという課題があった。
【０００７】
また、循環用ファン１０３がシロッコファンなどの場合、風速を低減するために面積の広いヒータ１０４を使用すると、風速分布に偏りが出るという課題があった。
【０００８】
また、耐熱のために金属製のクロスフローファンを使用した場合、一般に金属製のクロスフローファンのブレードは直線的であるため、舌部との干渉によるピーク音が発生するという課題があり、施工性がよく、入浴中に冷風感を感じず、乾燥スピードが速く、ピーク音を低減した浴室乾燥機が要求されている。
【０００９】
本発明は、このような従来の課題を解決するものであり、施工性がよく、入浴中に冷風感を感じず、乾燥スピードが速く、ピーク音を低減した浴室乾燥機を提供することを目的としている。
【００１０】
【課題を解決するための手段】
本発明の浴室乾燥機は上記目的を達成するために、浴室の天井面等に設置される箱体状で、側面に屋外に連通する排気口および他室換気用吸込口を有し、下面には浴室換気用吸込口と循環用吸込口および吹出口を設けた本体内に、浴室内の空気を屋外に排気する換気用ファンと、浴室内の空気を循環させる循環用ファンと、前記循環用ファンの吐き出し側流路にヒ−タを備え、前記換気用ファンはシロッコファンでファン吸込口が浴室側を向いており、かつ循環用ファンと間隔をあけて上方に配置され、前記循環用ファンにクロスフローファンを用い、前記クロスフローファンが金属製で、かつケーシングの舌部が複数の断面形状をランダムに配置した構成となっている浴室乾燥機としたものである。
【００１１】
また他の手段は、浴室換気用吸込口に、段階的に開度を変更できる電動ダンパを備えた浴室乾燥機としたものである。
【００１２】
また他の手段は、ヒータにハロゲンヒ−タを使用して、浴室内に向かい熱放射する輻射熱により暖房をする構成とした浴室乾燥機としたものである。
【００１５】
本発明によれば、施工性がよく、入浴中に冷風感を感じず、乾燥スピードが速く、ピーク音を低減した浴室乾燥機が得られる。
【００１６】
【発明の実施の形態】
本発明は、浴室の天井面等に設置される箱体状で、側面に屋外に連通する排気口および他室換気用吸込口を有し、下面には浴室換気用吸込口と循環用吸込口および吹出口を設けた本体内に、浴室内の空気を屋外に排気する換気用ファンと、浴室内の空気を循環させる循環用ファンと、前記循環用ファンの吐き出し側流路にヒ−タを備え、前記換気用ファンはシロッコファンでファン吸込口が浴室側を向いており、かつ循環用ファンと間隔をあけて上方に配置されている浴室乾燥機としたものであり、本体の面積を小さくすることができるため一括施工ができ、また他室からの吸込口の方向が限定されないという作用を有する。また、循環用ファンにクロスフローファンを用いた浴室乾燥機としたものであり、面積の広いヒータを使用しても風速分布を均一にできるという作用を有する。また、クロスフローファンが金属製で、かつケーシングの舌部が複数の断面形状をランダムに配置した構成となっている浴室乾燥機としたものであり、金属製クロスフローファン特有の舌部との干渉によるピーク音を低減できるという作用を有する。
【００１７】
また、浴室換気用吸込口に、段階的に開度を変更できる電動ダンパを備えた浴室乾燥機としたものであり、運転中でも他室からの換気風量と浴室からの換気風量のバランスを制御できるという作用を有する。
【００１８】
また、ヒータにハロゲンヒ−タを使用して、浴室内に向かい熱放射する輻射熱により暖房をする構成とした浴室乾燥機としたものであり、主に輻射熱で暖房を行うため、ヒータを通過させる循環風はヒータの過熱を防止する程度で良く、入浴中暖房時に冷風感を感じないという作用を有する。
【００２１】
以下、本発明の実施例について図面を参照しながら説明する。
【００２２】
【実施例】
（実施例１）
図１に示すように、本発明の浴室乾燥機は、浴室の天井面等に設置される箱体状で、側面に屋外に連通する排気口１および他室換気用吸込口２を有し、下面には浴室換気用吸込口３と循環用吸込口４および吹出口５を設けた本体６内に、浴室内の空気を屋外に排気する換気用ファン７と、浴室内の空気を循環させる循環用ファン８と、前記循環用ファン８の吐き出し側流路にヒ−タ９を備え、前記換気用ファン７はシロッコファンでファン吸込口１０が浴室側を向いており、かつ循環用ファン８と間隔をあけて上方に配置されている構成にされている。
【００２３】
上記構成により、本体面積が小さくなり、浴室の開口面積が小さくても一括施工ができ、また、上下に配置された循環用ファン８と換気用ファン７の空間を、側面に設けた他室換気用吸込口３から換気用ファン７のファン吸込口１０までの風路とすることができるため、どの側面にも他室換気用吸込口２を設けることができ、施工性を向上することができる。
【００２４】
なお、側面に他室換気用吸込口２が備わっておらず、浴室のみ換気する構成でも良い。
【００２５】
（実施例２）
図２に示すように、浴室換気用吸込口３に、段階的に開度を変更できる電動ダンパ１１を備えた構成にされている。
【００２６】
上記構成により、電動ダンパ１１を段階的に制御することにより、他室の換気風量と浴室の換気風量の割合を制御でき、入浴中に他室を換気するために換気用ファン７を運転しても、浴室の換気風量を低風量、もしくは換気させないことができ、冷風感を与えないようにすることができる。
【００２７】
（実施例３）
図３に示すように、ヒータ９にハロゲンヒ−タを使用して、浴室内に向かい熱放射する輻射熱により暖房をする構成にされている。
【００２８】
上記構成により、主に輻射熱で暖房を行うため、ヒータ９を通過させる循環風はヒータ９の過熱を防止する程度で良く、入浴中暖房時に冷風感を感じないようにすることができる。
【００２９】
（実施例４）
図４に示すように、循環用ファン８にクロスフローファンを用いた構成にされている。
【００３０】
上記構成により、面積の広いヒータ９を使用しても風速分布を均一にすることができ、またヒータ９の熱交換効率が向上するため、浴室および衣類の乾燥能力を向上することができる。
【００３１】
（実施例５）
図４、５に示すように、クロスフローファンが金属製で、かつケーシングの舌部１２が複数の断面形状をランダムに配置した構成にされている。
【００３２】
上記構成により、クロスフローファンのブレード１３と舌部１２の干渉によるピーク音を位相がずらして発生させることができ、ピーク音のレベルを低減することができる。
【００３３】
【発明の効果】
以上の実施例から明らかなように、本発明によれば、施工性がよく、入浴中に冷風感を感じず、乾燥スピードが速く、ピーク音を低減した浴室乾燥機を提供できる。
【図面の簡単な説明】
【図１】本発明の実施例１の浴室乾燥機の側断面図
【図２】同実施例２の浴室乾燥機の側断面図
【図３】同実施例３の浴室乾燥機の側断面図
【図４】同実施例４、５の浴室乾燥機の側断面図
【図５】同実施例５の浴室乾燥機の舌部斜視図
【図６】従来の浴室乾燥機の側面図
【符号の説明】
１      排気口
２      他室換気用吸込口
３      浴室換気用吸込口
４      循環用吸込口
５      吹出口
６      本体
７      換気用ファン
８      循環用ファン
９      ヒータ
１０    ファン吸込口
１１    電動ダンパ
１２    舌部
１３    ブレード
【図１】
0004712242.tif 000002
【図２】
0004712242.tif 000003
【図３】
0004712242.tif 000004
【図４】
0004712242.tif 000005
【図５】
0004712242.tif 000006
【図６】
0004712242.tif 000007